(57)【要約】【課題】配線部が損傷することを防止することが可能な配線用床材を提供する。【解決手段】この配線用床材１は、凹状部２ｄを含み、設置面上に設置可能に構成された基材２と、基材２内部に一体的に埋め込まれた埋込配線部４と、基材２の側端部２ｃ近傍でかつ凹状部２ｄに対応する位置に設けられ、埋込配線部４に接続された端子部５とを備え、複数の基材２を凹状部２ｄを介して互いに接合した状態で、隣接する基材２の埋込配線部４が互いに電気的に接続されるように構成されている。【選択図】図５
2014015810.tif 000002
【特許請求の範囲】
【請求項１】
凹状または凸状の接合部を含み、設置面上に設置可能に構成された基材と、
前記基材内部に一体的に埋め込まれた第１埋込配線部と、
前記基材の側端部近傍でかつ前記接合部に対応する位置に設けられ、前記第１埋込配線部に接続された第１端子部とを備え、
複数の前記基材を前記接合部を介して互いに接合した状態で、隣接する前記基材の前記第１端子部を介して前記第１埋込配線部が互いに電気的に接続されるように構成されている、配線用床材。
【請求項２】
隣接する前記基材の前記接合部を互いに接合する接合部材をさらに備え、
互いに隣接する一方側の前記基材の前記第１端子部と他方側の前記基材の前記第１端子部とは、前記接合部材を介して互いに電気的に接続されるように構成されている、請求項１に記載の配線用床材。
【請求項３】
前記接合部材は、隣接する前記基材の前記接合部が前記接合部材を介して互いに接合された状態で、一方側の前記基材の前記第１端子部と他方側の前記基材の前記第１端子部との間の導通を図るための第２埋込配線部を含み、
前記第２埋込配線部は、前記接合部材の内部に一体的に埋め込まれている、請求項２に記載の配線用床材。
【請求項４】
前記接合部材が前記基材同士の隣接する第１方向と略直交する第２方向に沿って前記接合部に嵌め込まれることにより前記基材同士が前記第１方向に接合されるように構成されており、
前記第１端子部は、前記接合部に対応する位置において前記第２方向に延びており、
前記接合部材は、前記第２埋込配線部に接続されるとともに前記第２方向に延びる第２端子部をさらに含み、
前記接合部材が前記接合部に嵌め込まれることにより、前記第２端子部が前記第１端子部に前記第２方向に沿って嵌合されて、一方側の前記基材の前記第１端子部と他方側の前記基材の前記第１端子部との電気的な接続状態が維持されるように構成されている、請求項３に記載の配線用床材。
【請求項５】
互いに隣接する前記基材は、凹状の前記接合部と凸状の前記接合部とにより前記基材同士の隣接する第１方向に沿って直接的に接合されるように構成されており、
一方側の前記基材の前記第１端子部と他方側の前記基材の前記第１端子部とは、各々の前記接合部の接合とともに前記接合部において互いに電気的に接続されるように構成されている、請求項１に記載の配線用床材。
【請求項６】
一方側の前記基材の前記第１端子部と他方側の前記基材の前記第１端子部とが前記第１方向に沿って互いに嵌合されることにより、前記接合部における前記第１端子部間の電気的な接続状態が維持されるように構成されている、請求項５に記載の配線用床材。
【請求項７】
前記基材は、前記設置面とは反対側の表面上に機器が設置可能に構成されており、
前記基材の前記表面側において露出するように設けられ、前記第１埋込配線部と前記機器との電気的な接続を図るための第３端子部をさらに備える、請求項１〜６のいずれか１項に記載の配線用床材。
【請求項８】
凹状または凸状の接合部を含み、設置面上に設置可能に構成されるとともに前記設置面とは反対側の第１表面上に音響機器が設置可能に構成された基材と、
前記基材内部に一体的に埋め込まれた第１埋込配線部と、
前記基材の側端部近傍でかつ前記接合部に対応する位置に設けられ、複数の前記基材を前記接合部を介して互いに接合した状態で、隣接する前記基材における前記第１埋込配線部を互いに電気的に接続するための埋込配線接続用端子部と、
前記基材の前記第１表面側において露出するように設けられ、前記第１埋込配線部と前記音響機器との電気的な接続を図るための機器接続用端子部とを備え、
複数の前記基材を前記接合部を介して互いに接合した状態で、隣接する前記基材における前記第１埋込配線部が前記埋込配線接続用端子部を介して互いに電気的に接続されることにより、前記設置面上において前記機器接続用端子部を介して接続された各々の前記音響機器が互いに電気的に接続されている、配線用床材を用いた音響システム。
【請求項９】
前記基材は、吸音性を有する材料からなる吸音層を含み、
前記吸音層は、前記設置面と対向する前記基材の第２表面を有する、請求項８に記載の配線用床材を用いた音響システム。
【発明の詳細な説明】
【技術分野】
【０００１】
この発明は、配線用床材および配線用床材を用いた音響システムに関し、特に、設置面上に設置可能に構成された基材を備える配線用床材および配線用床材を用いた音響システムに関する。
【背景技術】
【０００２】
従来、設置面上に設置可能に構成された基材などが知られている（たとえば、特許文献１参照）。
【０００３】
上記特許文献１には、厚紙または樹脂からなる複数のピース（基材）と、完成後のパズル全体の外周部を取り囲んで保持する額部とを備えたジグソーパズルセットが開示されている。このジグソーパズルセットでは、図柄が印刷されたピース（配線ピース）の表面上に、透明電極膜材料であるＩＴＯインクを用いて電気配線部がパターニングされて形成されている。また、特定のピース（発光ピース）の表面上には透明電極膜およびＥＬ発光層が積層されている。そして、配線ピースおよび発光ピースが組み合わされて電気配線部とＥＬ発光層とが接続されることにより、完成された図柄面上に所定の配線パターンを有する電気回路が形成される。また、この状態で、額部に内蔵された蓄電部からの電力が供給されることにより発光ピースが発光して、発光ピース周辺の図柄を光らせるように構成されている。
【先行技術文献】
【特許文献】
【０００４】
【特許文献１】特開２０１０−２４００２３号公報
【発明の概要】
【発明が解決しようとする課題】
【０００５】
上記特許文献１に開示されたジグソーパズルセットでは、図柄を光らせるためにＥＬ発光層は透明電極膜とともに発光ピースの表面上に形成される。また、ＥＬ発光層へ電力を供給するために、電気配線部も配線ピースの表面上に形成されている。また、電気配線部は、表面の図柄を遮らないためにもＩＴＯインクを用いて配線ピースの表面上に印刷されている。
【０００６】
ここで、上記特許文献１に開示された構成を応用して、たとえば、表面上に配線部が形成された個々のピース部材（基材）を繋ぎ合わせて建築物などの床部を形成することが考えられる。すなわち、ピース部材（基材）を敷き詰めることによって表面上に所定の配線部（配線パターン）が形成された床部を利用して、床部上に配置された電子機器間を電気的に接続するような構成が考えられる。しかしながら、この構成では、床部の表面上に配線部が形成されているので、配線部が形成された床部上に重量物が載置されたり床部上を重量物が移動したりするような場合には、重量物の荷重に起因して配線部が損傷するという問題点がある。
【０００７】
この発明は、上記のような課題を解決するためになされたものであり、この発明の１つの目的は、配線部が損傷することを防止することが可能な配線用床材および配線用床材を用いた音響システムを提供することである。
【課題を解決するための手段】
【０００８】
この発明の第１の局面による配線用床材は、凹状または凸状の接合部を含み、設置面上に設置可能に構成された基材と、基材内部に一体的に埋め込まれた第１埋込配線部と、基材の側端部近傍でかつ接合部に対応する位置に設けられ、第１埋込配線部に接続された第１端子部とを備え、複数の基材を接合部を介して互いに接合した状態で、隣接する基材の第１端子部を介して第１埋込配線部が互いに電気的に接続されるように構成されている。
【０００９】
この発明の第１の局面による配線用床材では、上記のように、設置面上に設置可能に構成された基材と、基材内部に一体的に埋め込まれた第１埋込配線部とを備えることによって、この配線用床材を設置面上に敷き詰めて床部を形成した場合、配線部は基材の内部に一体的に埋め込まれているので、電子機器などの重量物が床部上に載置されたり床部上を移動したりしたとしても、重量物の荷重に起因して配線部が損傷することを防止することができる。
【００１０】
また、第１の局面による配線用床材では、第１埋込配線部が基材内部に一体的に埋め込まれているので、この配線用床材を設置面上に敷き詰めて配線部の隠された床部を形成する際に、基材の設置作業と同時に配線部の設置作業も行うことができる。また、基材毎に配線部が埋め込まれていても、設置後の各基材においては第１埋込配線部が互いに電気的に接続されるので、電気的に接続された第１埋込配線部を用いて配線網を床部の内部に容易に構築することができる。すなわち、床材と配線部とを別々に設置（敷設）する必要がないので、大掛かりな作業を伴うことなく配線部の隠された床部を形成することができる。
【００１１】
また、第１の局面による配線用床材では、基材は、凹状または凸状の接合部を含んでおり、基材の側端部近傍でかつ接合部に対応する位置に設けられ、第１埋込配線部に接続された第１端子部を備え、複数の基材を接合部を介して互いに接合した状態で、隣接する基材の第１端子部を介して第１埋込配線部が互いに電気的に接続されるので、隣接する基材同士を凹状の接合部と凸状の接合部との係合によって確実に接合することができる。あるいは、隣接する基材の凹状の接合部同士を、別な接合部材などを用いて互いに接合することもできる。いずれの接合方法であっても、第１端子部が接合部に対応する位置に設けられているので、基材の接合部同士が確実に接合（係合）された部分において各々の第１端子部の電気的な接続を確実に行うことができる。
【００１２】
上記第１の局面による配線用床材において、好ましくは、隣接する基材の接合部を互いに接合する接合部材をさらに備え、互いに隣接する一方側の基材の第１端子部と他方側の基材の第１端子部とは、接合部材を介して互いに電気的に接続されるように構成されている。このように構成すれば、接合部材を用いて隣接する基材同士を容易に接合することができる。また、接合部材が、基材同士を接合する役割に加えて基材間の第１端子部同士の電気的な接続部材としての役割を兼ねるので、基材同士の接合作業と第１埋込配線部間の電気的な接続作業とを１回の作業で完了させることができる。
【００１３】
上記接合部材をさらに備える構成において、好ましくは、接合部材は、隣接する基材の接合部が接合部材を介して互いに接合された状態で、一方側の基材の第１端子部と他方側の基材の第１端子部との間の導通を図るための第２埋込配線部を含み、第２埋込配線部は、接合部材の内部に一体的に埋め込まれている。このように構成すれば、接合部材の第２埋込配線部を介して、接合された基材の第１端子部間の電気的な接続を容易に行うことができる。
【００１４】
この場合、好ましくは、接合部材が基材同士の隣接する第１方向と略直交する第２方向に沿って接合部に嵌め込まれることにより基材同士が第１方向に接合されるように構成されており、第１端子部は、接合部に対応する位置において第２方向に延びており、接合部材は、第２埋込配線部に接続されるとともに第２方向に延びる第２端子部をさらに含み、接合部材が接合部に嵌め込まれることにより、第２端子部が第１端子部に第２方向に沿って嵌合されて、一方側の基材の第１端子部と他方側の基材の第１端子部との電気的な接続状態が維持されるように構成されている。このように構成すれば、基材同士の接合方向（第１方向）と、接合部材による基材の第１端子部と接合部材の第２端子部との嵌合方向（第２方向）とを互いに略直交させた状態で、第１端子部間の電気的な接続を図りつつ基材同士を接合することができる。すなわち、接合された基材同士が第１方向に離隔しかけたとしても、基材の第１端子部と接合部材の第２端子部との嵌合状態を容易に維持することができる。したがって、不意な衝撃に起因して各々の基材の第１埋込配線部間の接続が断線することを容易に抑制することができる。
【００１５】
上記第１の局面による配線用床材において、好ましくは、互いに隣接する基材は、凹状の接合部と凸状の接合部とにより基材同士の隣接する第１方向に沿って直接的に接合されるように構成されており、一方側の基材の第１端子部と他方側の基材の第１端子部とは、各々の接合部の接合とともに接合部において互いに電気的に接続されるように構成されている。このように構成すれば、基材同士の接合作業と第１埋込配線部間の電気的な接続作業とを同時に行うことができるので、配線部の隠された床部を形成することを、より短時間で完了させることができる。
【００１６】
この場合、好ましくは、一方側の基材の第１端子部と他方側の基材の第１端子部とが第１方向に沿って互いに嵌合されることにより、接合部における第１端子部間の電気的な接続状態が維持されるように構成されている。このように構成すれば、接合された基材同士が第１方向に離隔しかけたとしても、第１端子部同士の嵌合によって第１端子部間の電気的な接続状態は容易には解除されない。したがって、不意な衝撃に起因して各々の基材の第１埋込配線部間の接続が断線することを容易に抑制することができる。
【００１７】
上記第１の局面による配線用床材において、好ましくは、基材は、設置面とは反対側の表面上に機器が設置可能に構成されており、基材の表面側において露出するように設けられ、第１埋込配線部と機器との電気的な接続を図るための第３端子部をさらに備える。このように構成すれば、配線部の隠された床部を形成する場合においても、基材の表面上に設置された機器と第１埋込配線部との電気的な接続を容易に行うことができる。したがって、機器の配置に制約を設けることなく本発明の配線用床材を利用して建築物などの床部を形成することができる。
【００１８】
この発明の第２の局面による配線用床材を用いた音響システムは、凹状または凸状の接合部を含み、設置面上に設置可能に構成されるとともに設置面とは反対側の第１表面上に音響機器が設置可能に構成された基材と、基材内部に一体的に埋め込まれた第１埋込配線部と、基材の側端部近傍でかつ接合部に対応する位置に設けられ、複数の基材を接合部を介して互いに接合した状態で、隣接する基材における第１埋込配線部を互いに電気的に接続するための埋込配線接続用端子部と、基材の第１表面側において露出するように設けられ、第１埋込配線部と音響機器との電気的な接続を図るための機器接続用端子部とを備え、複数の基材を接合部を介して互いに接合した状態で、隣接する基材における第１埋込配線部が埋込配線接続用端子部を介して互いに電気的に接続されることにより、設置面上において機器接続用端子部を介して接続された各々の音響機器が互いに電気的に接続されている。
【００１９】
この発明の第２の局面による配線用床材を用いた音響システムでは、上記のように、配線用床材が、設置面上に設置可能に構成された基材と、基材内部に一体的に埋め込まれた第１埋込配線部とを備えることによって、この配線用床材を設置面上に敷き詰めて床部を形成した場合、配線部は基材の内部に一体的に埋め込まれているので、音源機器やスピーカなどの重量物が床部上に載置されたり床部上を移動したりしたとしても、このような重量物の荷重に起因して配線部が損傷することを防止することができる。
【００２０】
また、第２の局面による配線用床材を用いた音響システムでは、配線用床材の第１埋込配線部が基材内部に一体的に埋め込まれているので、この配線用床材を設置面上に敷き詰めて配線部の隠された床部を形成する際に、基材の設置作業と同時に配線部の設置作業も行うことができる。また、基材毎に配線部が埋め込まれていても、設置後の各基材間においては第１埋込配線部が互いに電気的に接続されるので、電気的に接続された第１埋込配線部を用いて配線網を床部の内部に容易に構築することができる。すなわち、床材と配線部とを別々に設置（敷設）する必要がないので、大掛かりな作業を伴うことなく配線部の隠された床部を形成して床部上に音響システムを構築することができる。
【００２１】
また、第２の局面による配線用床材を用いた音響システムでは、基材は、凹状または凸状の接合部を含んでおり、基材の側端部近傍でかつ接合部に対応する位置に設けられ、複数の基材を接合部を介して互いに接合した状態で、隣接する基材における第１埋込配線部を互いに電気的に接続するための埋込配線接続用端子部を備え、複数の基材を接合部を介して互いに接合した状態で、隣接する基材における第１埋込配線部が埋込配線接続用端子部を介して互いに電気的に接続されるので、隣接する基材同士を凹状の接合部と凸状の接合部との係合によって確実に接合することができる。あるいは、隣接する基材の凹状の接合部同士を、別な接合部材などを用いて互いに接合することもできる。いずれの接合方法であっても、埋込配線接続用端子部が接合部に対応する位置に設けられているので、基材の接合部同士が確実に接合（係合）された部分において各々の埋込配線接続用端子部の電気的な接続を確実に行うことができる。
【００２２】
上記第２の局面による配線用床材を用いた音響システムにおいて、好ましくは、基材は、吸音性を有する材料からなる吸音層を含み、吸音層は、設置面と対向する基材の第２表面を有する。このように構成すれば、音響機器が発する音を、音響機器が設置された基材の第１表面から第２表面側の設置面に伝わることを吸音層によって容易に抑制することができる。したがって、階下に隣接する部屋などへの騒音防止対策に有効となる。
【発明の効果】
【００２３】
本発明によれば、上記のように、電子機器などの重量物が床部上に載置されたり床部上を移動したりしたとしても、重量物の荷重に起因して配線部が損傷することを防止することができる。また、大掛かりな作業を伴うことなく配線部の隠された床部を形成することができる。
【図面の簡単な説明】
【００２４】
【図１】本発明の第１実施形態による配線用床材の構成を説明するための斜視図である。
【図２】本発明の第１実施形態による配線用床材（基材）を設置面上に敷き詰めた状態を示した上面図である。
【図３】本発明の第１実施形態による配線用床材を用いて形成した床部上に音響システムを構築した場合の概略的な構成を示した図である。
【図４】本発明の第１実施形態による配線用床材同士を接合する方法を説明するための分解斜視図である。
【図５】本発明の第１実施形態による配線用床材同士を接合部材を用いて接合（連結）する方法を説明するための断面図である。
【図６】本発明の第１実施形態による配線用床材同士を接合部材を用いて接合（連結）した状態を示した断面図である。
【図７】本発明の第１実施形態による配線用床材とスピーカとの接続方法を説明するための図である。
【図８】本発明の第２実施形態による配線用床材を設置面上に敷き詰めた状態を示した上面図である。
【図９】本発明の第２実施形態による配線用床材同士を接合する方法を説明するための拡大断面図である。
【発明を実施するための形態】
【００２５】
以下、本発明を具体化した実施形態を図面に基づいて説明する。
【００２６】
（第１実施形態）
図１〜図７を参照して、本発明の第１実施形態による配線用床材１の構成およびこの配線用床材１を用いて設置されたホームシアター用のサラウンドシステム１００について説明する。なお、サラウンドシステム１００は、本発明の「音響システム」の一例である。
【００２７】
本発明の第１実施形態による配線用床材１は、図１に示すように、樹脂材料からなる基材２を備えている。基材２は、縦寸法Ｌ１（Ｙ方向）×横寸法Ｌ２（Ｘ方向）×厚みＤ３（Ｚ方向）を有して概略薄板形状（タイル状）に形成されている。ここで、Ｌ１とＬ２とは略等しい。したがって、配線用床材１は、図２に示すように、平面的に見て、基材２の床面部２ａ（紙面手前側）および反対側（紙面奥側）の底面部２ｂ（図１参照）が、共に略正方形状を有している。また、厚みＤ３（図１参照）は、床面部２ａからの基材２に加わる荷重を支持可能な厚みに調整されている。なお、床面部２ａおよび底面部２ｂは、それぞれ、本発明の「第１表面」および「第２表面」の一例である。なお、図２では、後述する接合部材１０（図４参照）を用いて基材２同士を電気的に接続する前の状態（載置面５１上に基材２を敷き詰めただけの状態）を図示している。
【００２８】
また、複数枚の配線用床材１を各々の底面部２ｂ（図１参照）を下にした状態で建築構造物の床面（載置面５１）上に隙間なく設置することにより、所定の平面積を有する床部５０を形成することが可能に構成されている。たとえば、図３に示すように、配線用床材１を縦方向（Ｙ方向）および横方向（Ｘ方向）にそれぞれ７枚ずつ敷き詰めることにより、合計４９枚からなる略正方形状の床部５０を形成することが可能とされている。
【００２９】
ここで、第１実施形態では、図３に示すように、床部５０の内部には、所定のレイアウトを有する電気配線網６０が形成されている。また、電気配線網６０は、配線用床材１を用いて床部５０を形成する作業と同時に物理的に構築されるように構成されている。この場合、４９枚の配線用床材１のなかには、電気配線網６０に実質的に関与しない（後述する埋込配線部４を有しない）床材１ａも含まれている。また、電気配線網６０のレイアウト（平面的な配線パターン）に合わせて、電気配線網６０に関与する配線用床材１を通る電気配線（後述する埋込配線部４）の本数も、配線用床材１の設置箇所によってそれぞれ異なる。第１実施形態では、この電気配線網６０を使用して、床部５０上にホームシアター用のサラウンドシステム１００が構成されている。
【００３０】
すなわち、室内に設置されるサラウンドシステム１００では、合計８台のスピーカ１０１〜１０８の各々が、電気配線網６０を介してセンター機器１１０と電気的に接続されている。また、センター機器１１０は、一般的に、室内の壁部近傍に配置（設置）されており、センター機器１１０には、液晶パネルなどの表示装置１２０が接続されている。ここで、サラウンドシステム１００によって７．１チャンネルの音響システムが構築されているが、個々のスピーカの詳細な配置構成については説明を省略する。
【００３１】
したがって、たとえば、図３において「フロント右」の位置に配置されるスピーカ１０１は、センター機器１１０が設置された配線用床材１と、その右隣（Ｘ１側）の配線用床材１と、さらにその右隣のスピーカ１０１が配置された配線用床材１とに亘って内部を通る１つの配線系統６１によってセンター機器１１０と電気的に接続されている。同様に、他のスピーカ１０２〜１０８も、センター機器１１０が設置された配線用床材１を起点として各々のスピーカが配置された位置に最も近い配線用床材１まで床材内部を通された配線系統６２〜６８の各々によってセンター機器１１０と電気的に接続されている。なお、図示の都合上、センター機器１１０とスピーカ１０１とを繋ぐ配線系統６１を１本の太い実線で示しているが、実際には、配線系統６１は、プラス極（正極）用の配線とマイナス極（負極）用の配線とが一組となって構成されており、正極用配線および負極用配線の各々が、センター機器１１０とスピーカ１０１とを繋いでいる。この点については、他のスピーカ１０２〜１０８に対応する配線系統６２〜６８も同様である。また、各配線系統がスピーカ１０１〜１０８またはセンター機器１１０に接続される部分（後述する一対の端子部７が設けられている部分）を、黒塗りの丸印で示している。なお、スピーカ１０１〜１０８およびセンター機器１１０は、本発明の「音響機器」の一例である。
【００３２】
以下、上記した電気配線網６０を物理的に構築するにあたっての各電気配線（配線系統６１〜６８）が通されている配線用床材１が有する特徴点について説明する。なお、代表的な配線用床材１として、電気配線網６０のうち、４本の電気配線（２台分のスピーカの電気配線）が共通に通される部分の配線用床材１の構造について詳細に説明する。
【００３３】
図２に示すように、電気配線網６０（図３参照）のうち４本の電気配線（スピーカ１０３の配線系統６３およびスピーカ１０４の配線系統６４（図３参照））が共通に通される部分においては、Ｙ方向に隣接する２枚の配線用床材１は、各々の基材２の側端部２ｃ同士を床面５１（図５参照）の延びる水平方向（Ｙ方向）に対向させることによって、建築構造物の床面５１上に隙間なく設置することが可能に構成されている。ここで、図１に示すように、基材２は、側端部２ｃの近傍に形成されるとともに側端部２ｃから水平方向の内側（Ｙ１方向およびＹ２方向）に逆台形形状に窪む凹状部２ｄ（４箇所）を有している。また、凹状部２ｄは、基材２の床面部２ａから内部（Ｚ２方向）に向かって凹状に窪んでいる。また、図２に示すように、凹状部２ｄは、Ｙ方向に隣接する各基材２とも、Ｘ方向に沿って略同じ位置に形成されている。なお、水平方向（Ｙ方向）は、本発明の「第１方向」の一例である。また、凹状部２ｄは、本発明の「接合部」の一例である。また、床面５１は、本発明の「設置面」の一例である。
【００３４】
そして、図４に示すように、建築構造物の床面５１上において、一方の基材２（配線用床材１）の側端部２ｃに対して他方の基材２（配線用床材１）の側端部２ｃを、各々の凹状部２ｄの形成位置をＸ方向に沿って互いに揃えた状態で水平方向（Ｙ方向）に対向させて接合（当接）することにより、図２に示すように、対向する２つの凹状部２ｄが幾何学的に接合されて１つの凹状部分３が形成される。なお、各々の配線用床材１においては、凹状部２ｄは、片方（Ｙ１側およびＹ２側）の側端部２ｃに、それぞれ２箇所ずつ設けられている。したがって、基材２同士を水平方向に接合することにより、接合箇所にはＸ方向に所定間隔を隔てて並ぶ２つの凹状部分３が形成される。
【００３５】
ここで、第１実施形態では、図４に示すように、配線用床材１とは別部材である１つの接合部材１０を凹状部分３（図２参照）に嵌め込むことによって、基材２同士が水平方向に接合されるように構成されている。すなわち、各々の凹状部分３（図２参照）の直上から基材２に向かって接合部材１０を下方向（Ｚ２方向）に降ろして凹状部分３に嵌め込むだけで基材２同士が接合（連結）されるように構成されている。したがって、床部５０（図２参照）を形成する作業においては、互いに隣接する基材２同士を接合部材１０を用いて順次接合していくことにより、配線用床材１の設置範囲を拡張するようになる。ここで、接合部材１０は、基材２と同じ樹脂材料を用いて構成されている。これにより、図６に示すように、接合部材１０が凹状部分３に埋め込まれた状態では、各配線用床材１の床面部２ａは平坦となる。なお、下方向（Ｚ２方向）は、本発明の「第２方向」の一例である。
【００３６】
また、第１実施形態では、図１に示す配線用床材１においては、電気配線網６０（図３参照）を形成するための元となる４本の埋込配線部４が、基材２の内部に予め一体的に埋め込まれている。また、一対の埋込配線部４は、基材２の一方側（Ｙ１側）の凹状部２ｄの下部（Ｚ２側）に対応する位置から他方側（Ｙ２側）の凹状部２ｄの下部に対応する位置までＹ方向に沿って直線状に延びている。また、各々の凹状部２ｄには、底部２ｅから上方（Ｚ１方向）に延びる一対の端子部５が設けられている。また、各端子部５は、基材２の底部２ｅの下方（Ｚ２側）において埋込配線部４に接続されている。ここで、埋込配線部４は、導線４ｂが被覆材４ａに被覆された状態で基材２内部に埋め込まれている。すなわち、埋込配線部４は、被覆材４ａが切除された導線４ｂに予め「かしめ工具」などを用いて端子部５が接続された状態で、基材２内部に埋め込まれるように構成されている。そして、埋込配線部４の埋め込みと同時に、端子部５が底部２ｅから露出するように凹状部２ｄが成形されている。なお、埋込配線部４は、本発明の「第１埋込配線部」の一例である。また、端子部５は、本発明の「第１端子部」および「埋込配線接続用端子部」の一例である。
【００３７】
また、接合部材１０についても、図４に示すように、２本の埋込配線部１１が内部に予め一体的に埋め込まれている。また、接合部材１０は、側端部１０ｃの近傍に形成されるとともに一方表面１０ａ（図４では下面）から内部（Ｚ１方向）に凹状に窪む穴部１０ｄ（合計４個）を有している。そして、各々の埋込配線部１１は、接合部材１０の一方側（Ｙ１側）の穴部１０ｄの下部（Ｚ１方向）に対応する位置から他方側（Ｙ２側）の穴部１０ｄの下部（Ｚ１方向）に対応する位置までＸ方向に沿って直線状に延びている。また、図５に示すように、各々の穴部１０ｄには、底部１０ｅから一方表面１０ａ側（Ｚ２側）に延びる端子部１５が設けられている。また、端子部１５は、接合部材１０の底部１０ｅの上部（Ｚ１側）において埋込配線部１１に接続されている。ここで、埋込配線部１１は、導線１１ｂが被覆材１１ａに被覆された状態で接合部材１０内部に埋め込まれている。すなわち、埋込配線部１１は、被覆材１１ａが切除された導線１１ｂに予め「かしめ工具」などを用いて端子部１５が接続された状態で、接合部材１０内部に埋め込まれるように構成されている。そして、埋込配線部１１の埋め込みと同時に、端子部１５が底部１０ｅから露出するように穴部１０ｄが成形されている。なお、埋込配線部１１および端子部１５は、それぞれ、本発明の「第２埋込配線部」および「第２端子部」の一例である。
【００３８】
これにより、第１実施形態では、図６に示すように、接合部材１０が凹状部分３に完全に嵌め込まれる（一方表面１０ａが底部２ｅに当接する状態）ことにより、端子部１５が基材２の端子部５に対して下方向（Ｚ２方向）に嵌合されるように構成されている。また、接合部材１０の端子部１５と基材２の端子部５との嵌合に伴って、接合される２つの配線用床材１同士は、各々の埋込配線部４が、接合部材１０の埋込配線部１１を介して電気的に接続されるように構成されている。この際、端子部１５と端子部５との嵌合によって、隣接する基材２間における埋込配線部４同士の電気的な接続状態が維持されるように構成されている。
【００３９】
また、図５に示すように、基材２の端子部５は、略円筒形状を有する金属製のソケット部５ａと、ソケット部５ａの中心軸線上に配置されたメス型のコネクタピン５ｂとを有している。ソケット部５ａは、底部５ｃが凹状部２ｄの底部２ｅに部分的に埋め込まれるようにして基材２に一体的に形成されている。また、ソケット部５ａの開口部５ｄには、端部が半径方向内側に折り曲げられた返し部５ｅが形成されている。また、返し部５ｅは開口部５ｄに沿って円環状に形成されている。また、コネクタピン５ｂは、円筒状の金属端子片の先端部が半径方向内側に折り返されて形成されている。
【００４０】
また、図５に示すように、接合部材１０の端子部１５は、略円筒形状を有する金属製のソケット部１５ａと、ソケット部１５ａの中心軸線上に配置されたオス型のコネクタピン１５ｂとを有している。ソケット部１５ａは、底部１５ｃが穴部１０ｄの底部１０ｅに部分的に埋め込まれるようにして接合部材１０に一体的に形成されている。また、ソケット部１５ａの底部１５ｃに近い根元部には、内側に縮径された円環状の縮径部１５ｅが形成されている。
【００４１】
これにより、第１実施形態では、接合部材１０の端子部１５と基材２の端子部５とが図５の状態から図６の状態へと嵌合される際、ソケット部１５ａがソケット部５ａの内周面側に沿ってスライドされて、かつ、返し部５ｅが縮径部１５ｅに対して周状に嵌まり込むように構成されている。この際、オス型のコネクタピン１５ｂが、メス型のコネクタピン５ｂに差し込まれることにより、ネクタピン５ｂの内周面とコネクタピン１５ｂの外周面とが密着される。したがって、図６においては、コネクタピン５ｂとコネクタピン１５ｂとの接触状態が常に維持されるように構成されている。端子部５および端子部１５がこのように構成されていることによって、Ｙ方向に隣接する基材２間における埋込配線部４同士の電気的な接続状態が維持されるように構成されている。
【００４２】
上記では、合計で４本の埋込配線部４が共通に通される部分の配線用床材１の構造を説明したが、配線用床材１は、内部に埋め込まれる埋込配線部４の本数や、埋込配線部４の基材２内部での平面的なレイアウト構成に応じて様々な態様で用意されている。
【００４３】
たとえば、図３に示すように、センター機器１１０近傍に配置される配線用床材１は、配線系統６１〜６８の全てが集まるために合計で８本の埋込配線部４が埋め込まれている。また、配線系統６２および６５を構成する配線用床材１のなかには、合計で２本の埋込配線部４が埋め込まれている。また、埋込配線部４が直線状に埋め込まれている配線用床材１もあれば、埋込配線部４が平面的に９０度曲げられて埋め込まれている配線用床材１も存在する。このような配線用床材１においては、基材２の互いに略直交方向に接続される側端部２ｃにそれぞれ上記した凹状部２ｄおよび端子部５が設けられており、配線用床材１の内部で埋込配線部４の向きを変えることが可能に構成されている。
【００４４】
また、第１実施形態では、スピーカ１０１〜１０８やセンター機器１１０が設置される配線用床材１においては、側端部２ｃ近傍に他の基材２との接続用の凹状部２ｄおよび端子部５が設けられるとともに、基材２内部の埋込配線部４をスピーカ１０１〜１０８やセンター機器１１０の音響機器に電気的に接続するための構成がさらに設けられている。
【００４５】
具体的には、図７に示すように、スピーカ１０１〜１０８またはセンター機器１１０と電気的に接続される配線用床材１においては、水平方向に延びる埋込配線部４の一端が、基材２の内部で上方（Ｚ１方向）に向きを変えて延びるように構成されている。そして、このような配線用床材１には、基材２の床面部２ａ側（上側）において露出するように端子部７が設けられている。また、端子部７は、基材２の内部において埋込配線部４（導線４ｂ）に接続されている。なお、端子部７は、本発明の「第３端子部」および「機器接続用端子部」の一例である。
【００４６】
したがって、図７に示すように、床面部２ａ上に設置したスピーカ１０１から引き出された２本（正極用配線および負極用配線）の配線１１５の端子部１１６の各々が、配線用床材１の端子部７にそれぞれ差し込まれることによって、スピーカ１０１と埋込配線部４とが電気的に接続されるように構成されている。また、センター機器１１０（図３参照）が設置される配線用床材１にも同様の端子部７が合計１８個（センター機器１１０と配線系統６１〜６８との接続用（１６個）およびセンター機器１１０とスピーカ１０８との接続用（２個））設けられている。これにより、配線系統６１〜６８の各々は、端子部７を介して１台のセンター機器１１０に電気的に接続されるとともに、各配線系統のセンター機器１１０とは反対側の終端部に位置する配線用床材１において、端子部７を介してそれぞれのスピーカに接続されている。このように、複数種類の配線用床材１を組み合わせることによって、サラウンドシステム１００に対応する電気配線網６０が形成されている。
【００４７】
また、第１実施形態では、図５〜図７に示すように、基材２は、埋込配線部４が一体的に埋め込まれている基材部２ｆと、基材部２ｆの下面に接着された吸音性を有する材料からなる吸音部２ｇとが積層された構造を有している。これにより、吸音部２ｇの下面が建築構造物の床面に接触する。したがって、吸音部２ｇの下面によって、建築構造物の床面と対向する基材２の底面部２ｂが構成されている。なお、吸音部２ｇは、本発明の「吸音層」の一例である。これにより、図７に示すように、スピーカ１０１〜１０８が発する音は、配線用床材１（基材２）の床面部２ａから底面部２ｂ側に伝わることが吸音部２ｇによって抑制されている。このようにして、配線用床材１およびこの配線用床材１を用いて構築されたサラウンドシステム１００は構成されている。
【００４８】
第１実施形態では、上記のように、配線用床材１が、建築構造物の床面５１上に設置可能に構成された基材２と、基材２の内部に一体的に埋め込まれた埋込配線部４とを備えることによって、この配線用床材１を床面５１上に敷き詰めて床部５０を形成した場合、埋込配線部４は基材２の内部に一体的に埋め込まれているので、スピーカ１０１〜１０８およびセンター機器１１０などの重量物が床部５０上に載置されたり床部５０上を移動したりしたとしても、このような重量物の荷重に起因して埋込配線部４が損傷することを防止することができる。
【００４９】
また、第１実施形態では、埋込配線部４が基材２の内部に一体的に埋め込まれていることによって、この配線用床材１を床面５１上に敷き詰めて配線部の隠された床部５０を形成する際に、基材２の設置作業と同時に配線部（電気配線網６０）の設置作業も行うことができる。また、基材２毎に埋込配線部４が埋め込まれていても、設置後の各基材２においては埋込配線部４が互いに電気的に接続されるので、電気的に接続された埋込配線部４を用いて所定の電気配線網６０を床部５０の内部に容易に構築することができる。すなわち、床材と配線部とを別々に設置（敷設）する必要がないので、大掛かりな作業を伴うことなく配線部（電気配線網６０）の隠された床部５０を形成して床部５０上にサラウンドシステム１００を構築することができる。
【００５０】
また、第１実施形態では、基材２は凹状部２ｄを含んでおり、基材２の側端部２ｃ近傍でかつ凹状部２ｄに対応する位置に設けられ、埋込配線部４に接続された端子部５を備える。そして、複数の基材２を凹状部２ｄを介して互いに接合した状態で、隣接する基材２の端子部５を介して埋込配線部４が互いに電気的に接続されるように構成する。これにより、隣接する基材２同士を凹状部２ｄ同士を介して確実に接合することができる。この際、端子部５が凹状部２ｄに対応する位置に設けられているので、基材２同士が確実に接合された部分において各々の端子部５の電気的な接続を確実に行うことができる。
【００５１】
また、第１実施形態では、隣接する基材２の凹状部２ｄを互いに接合する接合部材１０を備え、互いに隣接する一方側の基材２の端子部５と他方側の基材２の端子部５とは、接合部材１０を介して互いに電気的に接続されるように構成されている。これにより、接合部材１０を用いて隣接する基材２同士を容易に接合することができる。また、接合部材１０が、基材２同士を接合する役割に加えて基材２間の端子部５同士の電気的な接続部材としての役割を兼ねるので、基材２同士の接合作業と埋込配線部４間の電気的な接続作業とを１回の作業で完了させることができる。
【００５２】
また、第１実施形態では、接合部材１０は、隣接する基材２の凹状部２ｄが接合部材１０を介して互いに接合された状態で、一方側の基材２の端子部５と他方側の基材２の端子部５との間の導通を図るための埋込配線部１１を含み、埋込配線部１１は、接合部材１０の内部に一体的に埋め込まれている。これにより、埋込配線部１１を介して、接合された基材２の端子部５間の電気的な接続を容易に行うことができる。
【００５３】
また、第１実施形態では、接合部材１０を上下方向（Ｚ方向）に沿って凹状部２ｄに嵌め込むことにより基材２同士が水平方向（Ｙ方向）に接合されるように構成しており、端子部５は、凹状部２ｄに対応する位置において上下方向に延びている。また、接合部材１０は、埋込配線部１１に接続されるとともに上下方向に延びる端子部１５を含んでいる。そして、接合部材１０を凹状部２ｄに嵌め込むことにより、端子部１５が端子部５に上下方向に沿って嵌合されて、一方側の基材２の端子部５と他方側の基材２の端子部５との電気的な接続状態を維持するように構成している。これにより、基材２同士の接合方向（水平方向）と、基材２の端子部５と接合部材１０の端子部１５との嵌合方向（上下方向）とを互いに略直交させた状態で、端子部５間の電気的な接続を図りつつ基材２同士を接合することができる。すなわち、接合された基材２同士が水平方向に離隔しかけたとしても、基材２の端子部５と接合部材１０の端子部１５との嵌合状態を容易に維持することができる。したがって、不意な衝撃に起因して各々の基材２の埋込配線部４間の接続が断線することを容易に抑制することができる。
【００５４】
また、第１実施形態では、基材２の端子部５は、コネクタピン５ｂおよび返し部５ｅを含み、接合部材１０の端子部１５は、コネクタピン１５ｂおよび縮径部１５ｅを含んでいる。そして、端子部１５と端子部５とが嵌合される際、ソケット部１５ａがソケット部５ａの内周面側に沿ってスライドされて、返し部５ｅが縮径部１５ｅに対して周状に嵌まり込むように構成されている。また、この際、コネクタピン１５ｂがコネクタピン５ｂに差し込まれることにより、ネクタピン５ｂの内周面とコネクタピン１５ｂの外周面とが密着される。これにより、Ｙ方向に隣接する凹状部２ｄ同士の接合部材１０を用いた係合に加えて、端子部５と端子部１５との嵌合部分によっても基材２間における端子部５間の電気的な接続を確実に図ることができるので、埋込配線部４同士の電気的な接続状態を容易に維持することができる。
【００５５】
また、第１実施形態では、基材２は、建築構造物の床面５１とは反対側の床面部２ａ上にスピーカ１０１〜１０８の各々およびセンター機器１１０が設置可能に構成されている。そして、配線用床材１は、基材２の床面部２ａ側において露出するように設けられ、埋込配線部４とスピーカ１０１〜１０８の各々およびセンター機器１１０との電気的な接続を図るための端子部７を備えている。これにより、配線部の隠された床部５０を形成する場合においても、基材２の床面部２ａ上に設置された音響機器と埋込配線部４との電気的な接続を容易に行うことができる。したがって、音響機器の配置に制約を設けることなく本発明の配線用床材１を利用して建築物などの床部５０を形成することができる。
【００５６】
また、第１実施形態では、基材２は、吸音性を有する材料からなる吸音層２ｇを含み、吸音層２ｇは、床面５１と対向する基材２の底面部２ｂを有する。これにより、スピーカ１０１〜１０８が発する音を、この音響機器が設置された基材２の床面部２ａから底面部２ｂ側の床面５１に伝わることを吸音層２ｇによって容易に抑制することができる。したがって、階下に隣接する部屋などへの騒音防止対策に有効となる。
【００５７】
（第２実施形態）
次に、図８および図９を参照して、第２実施形態について説明する。第２実施形態では、基材２０２同士が直接的に接合されることによって内部に埋め込まれた埋込配線部４が電気的に接続される例について説明する。なお、図中において、上記第１実施形態と同様の構成には、第１実施形態と同じ符号を付して図示している。
【００５８】
本発明の第２実施形態による配線用床材２０１は、図８に示すように、樹脂材料からなる基材２０２を備えている。ここで、基材２０２は、側端部２０２ｃが凹凸形状を有している。具体的には、図９に示すように、側端部２０２ｃには、水平方向に突出する凸状部２０２ｄと、凸状部２０２ｄとは反対方向に窪む凹状部２０２ｅとがＸ方向に沿って交互に２つずつ形成されている。
【００５９】
また、凸状部２０２ｄは、根元部２０２ｈから先端部２０２ｉに向かって幅（Ｘ方向）が増加するように形成されている。ただし、先端部２０２ｉにおけるＸ方向の両端部に面取部２０２ｊが形成されており、先端部２０２ｉにおいては最大幅よりも若干狭められている。また、凹状部２０２ｅは、底面部２０２ｋから開口部２０２ｍに向かって開口幅（Ｘ方向）が減少するように形成されている。ただし、開口部２０２ｍにおけるＸ方向の両端部に面取部２０２ｊが形成されており、開口部２０２ｍにおいては最小幅よりも若干広げられている。
【００６０】
また、凸状部２０２ｄには、端子部２０５が設けられており、凸状部２０２ｄの内部（根元部）で埋込配線部４（導線４ｂ）に接続されている。また、凹状部２０２ｅの底面部２０２ｋには、端子部２２５が設けられており、内部で埋込配線部４（導線４ｂ）に接続されている。なお、端子部２０５および２２５は、本発明の「第１端子部」および「埋込配線接続用端子部」の一例である。
【００６１】
これにより、第２実施形態では、建築構造物の床面５１上に床部２５０（図８参照）を形成する作業においては、図９に示すように、２枚の配線用床材２０１を水平方向（Ｙ方向）に向き合わせた状態で、一方側の基材２０２の凹状部２０２ｅ（凸状部２０２ｄ）に対して他方側の基材２０２の凸状部２０２ｄ（凹状部２０２ｅ）をＹ方向に嵌め込むことによって、基材２０２同士を直接的に接合するように構成されている。また、一方側の基材２０２に複数（２つずつ）設けられた凹状部２０２ｅおよび凸状部２０２ｄと、他方側の基材２０２に複数（２つずつ）設けられた凹状部２０２ｅおよび凸状部２０２ｄとは、１回の接合（接続）作業で、全てが接合されるように構成されている。
【００６２】
なお、凸状部２０２ｄには、先端部２０２ｉでの幅（Ｘ方向）を狭めるための面取部２０２ｊが形成され、凹状部２０２ｅには、開口部２０２ｍでの開口幅（Ｘ方向）を広げるための面取部２０２ｊが形成されているので、凸状部２０２ｄが凹状部２０２ｅに嵌まり込む際に、面取部２０２ｊ同士が互いに接触しながら容易に嵌まり込むように構成されている。
【００６３】
また、第２実施形態では、基材２０２間の接合作業とともに、一方側の基材２０２の端子部２０５と他方側の基材２０２の端子部２２５とが水平方向に接合（嵌合）されて電気的に接続されるように構成されている。この場合も、第１実施形態と同様に、端子部２０５は、ソケット部５ａとメス型のコネクタピン５ｂとを有しており、ソケット部５ａには返し部５ｅが形成されている。また、端子部２２５は、ソケット部１５ａとオス型のコネクタピン１５ｂとを有しており、ソケット部１５ａには縮径部１５ｅが形成されている。
【００６４】
これにより、第２実施形態では、一方側の基材２０２の端子部２０５と他方側の基材２０２の端子部２２５とが水平方向に接合（嵌合）される際、ソケット部１５ａがソケット部５ａの内周面側にＹ方向にスライドされて、かつ、返し部５ｅが縮径部１５ｅに対して周状に嵌まり込むように構成されている。したがって、コネクタピン５ｂとコネクタピン１５ｂとの接触状態が常に維持されるように構成されている。これにより、隣接する基材２０２間における埋込配線部４同士の電気的な接続状態が維持されるように構成されている。
【００６５】
なお、配線用床材２０１のその他の構成については、上記第１実施形態の配線用床材１と同様である。
【００６６】
第２実施形態では、上記のように、互いに隣接する基材２０２の各々の凹状部２０２ｅと凸状部２０２ｄとを、水平方向（Ｙ方向）に直接的に接合するように構成している。そして、一方側の基材２０２の端子部２０５と他方側の基材２０２の端子部２２５とが、凹状部２０２ｅと凸状部２０２ｄとの接合とともに互いに電気的に接続される。これにより、基材２０２同士の接合作業と埋込配線部４間の電気的な接続作業とを同時に行うことができるので、配線部（電気配線網６０）の隠された床部２５０を形成することを、より短時間で完了させることができる。
【００６７】
また、第２実施形態では、一方側の基材２０２の端子部２０５と他方側の基材２０２の端子部２２５とを水平方向（Ｙ方向）に嵌合することにより、端子部間の電気的な接続状態を維持するように構成している。これにより、接合された基材２０２同士が水平方向に離隔しかけたとしても、端子部２０５と端子部２２５との嵌合によって端子部間の電気的な接続状態は容易には解除されない。したがって、不意な衝撃に起因して各々の基材２０２の埋込配線部４間の接続が断線することを容易に抑制することができる。
【００６８】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００６９】
たとえば、上記第１および第２実施形態では、床部５０の内部に電気配線網６０を形成することが可能な配線用床材１（２０１）を使用して、音響システムの一例としてのホームシアター用のサラウンドシステム１００を設置する例を示したが、本発明はこれに限られない。音響システム以外の電気的に接続されて使用される機器システムを構築する際の床材に、基材の内部に一体的に埋め込まれた埋込配線部を有する本発明の配線用床材を用いてもよい。たとえば、本発明の配線用床材を使用して、パソコンやプリンタなどの電子機器同士を接続してもよい。すなわち、埋込配線部は通信線であってもよく、埋込配線部がＬＡＮケーブル（同軸ケーブルおよびツイストペアケーブルなど）の場合には、パソコンやプリンタなどの電子機器同士を接続することが可能である。さらには、埋込配線部は、光通信用の光ファイバケーブルであってもよい。この場合、本発明の「埋込配線接続用端子部」および「機器接続用端子部」は、埋込配線部に適用されるケーブルの仕様に応じて適宜選択される。また、本発明の配線用床材には、上記した電力線と通信線との両方が基材内部に埋め込まれていてもよい。
【００７０】
また、上記第１および第２実施形態では、１つ（１枚）の配線用床材においては一方側の端子部５から他方側の端子部５までを結ぶ１本の埋込配線部４が分岐しない（他へ分岐するような分岐部を有しない）例について示したが、本発明はこれに限られない。本発明では、一方側の端子部５から延びた１本の埋込配線部が、２つ以上に枝分かれするような分岐部を有していてもよい。これにより、電気配線網（レイアウト）をより柔軟に構築することが可能となる。すなわち、このような配線用床材を用いることによって、音響システム以外の多種多様な電子機器同士を接続する際の電気配線網をより容易に構築することができる。
【００７１】
また、上記第１および第２実施形態では、基材２を、埋込配線部４が一体的に埋め込まれている基材部２ｆと、基材部２ｆの下面に接着された吸音性を有する材料からなる吸音部２ｇとを積層して構成した例について示したが、本発明はこれに限られない。本発明では、基材２自体を吸音性を有する材料によって構成してもよい。この場合、配線用床材１を敷き詰めて構成された床部５０の表面（床面部２ａ）上に、音響効果を有する建材（敷物）などを適宜設けてもよい。
【００７２】
また、上記第１および第２実施形態では、端子部５（２０５、２２５）のソケット部５ａおよび１５ａを金属製とした例について示したが、本発明はこれに限られない。本発明では、端子部５（２０５、２２５）におけるコネクタピンが金属際であればよく、コネクタピンを取り囲むソケット部５ａおよび１５ａは、樹脂製であってもよい。この場合、基材２（２０２）と同じ樹脂材料を用いてソケット部５ａおよび１５ａを基材部２ｆと一体的に成形してもよい。
【００７３】
また、上記第１実施形態では、基材２側の端子部５にメス型のコネクタピン５ｂ（受け側）を設け、接合部材１０側の端子部１５にオス型のコネクタピン１５ｂを設けた例について示したが、本発明はこれに限られない。本発明では、コネクタピンの形状（オス型およびメス型）が端子部５と端子部１５とで、上記とは反対であってもよい。
【００７４】
また、上記第１および第２実施形態では、基材２には、導線４ｂが被覆材４ａにより被覆された埋込配線部４を一体的に埋め込んだ例について示したが、本発明はこれに限られない。本発明では、被覆材を有しない裸導線が基材２内部に直接的に埋め込まれてもよい。この場合、基材２には、絶縁性を有する材料が適用される。また、裸導線は、撚り線であってもよいし、棒状または平板状の金属線であってもよい。
【００７５】
また、上記第１および第２実施形態では、配線用床材を平面的に見て略正方形状を有するように構成した例について示したが、本発明はこれに限られない。本発明では、配線用床材は長方形形状（矩形形状）であってもよいし、三角形形状、五角形形状または六角形形状などの多角形形状であってもよい。また、ここに例示した異種の平面形状を有する配線用床材同士を組み合わせてもよい。すなわち、配線用床材は、各々の載置面上に敷き詰めて床部が形成可能な形状であればよい。
【符号の説明】
【００７６】
１、２０１  配線用床材
２、２０２  基材
２ａ  床面部（第１表面）
２ｂ  底面部（第２表面）
２ｃ、２０２ｃ  側端部
２ｄ  凹状部（接合部）
２ｇ  吸音部（吸音層）
４  埋込配線部（第１埋込配線部）
５、２０５、２２５  端子部（第１端子部、埋込配線接続用端子部）
７  端子部（第３端子部、機器接続用端子部）
１０  接合部材
１１  埋込配線部（第２埋込配線部）
１５  端子部（第２端子部）
５１  床面（載置面）
１００  サラウンドシステム（音響システム）
１０１〜１０８  スピーカ（音響機器）
１１０  センター機器（音響機器）
２０２ｄ  凸状部
２０２ｅ  凹状部
【図１】
2014015810.tif 000003
【図２】
2014015810.tif 000004
【図３】
2014015810.tif 000005
【図４】
2014015810.tif 000006
【図５】
2014015810.tif 000007
【図６】
2014015810.tif 000008
【図７】
2014015810.tif 000009
【図８】
2014015810.tif 000010
【図９】
2014015810.tif 000011